(57)【特許請求の範囲】
【請求項１】
エンジンの中心線（２４）の周りに円周方向に延び、エンジンの外側流路境界面の一部を形成する内表面（６４）を有するノズル外壁（５２）と、
該外壁（５２）から内向きに延び、その各々が該外壁（５２）に支持された外端部（９０）から該外端部（９０）と対向する内端部（９２）までほぼ内向きに延びる複数のノズル羽根（５４）と、
該複数のノズル羽根（５４）の前記内端部（９２）の周りに円周方向に延び、エンジンの内側流路境界面の一部を形成する外表面（１１０）を有する内壁（５８）と、
エンジンの中心線（２４）の周りに円周方向に延び、エンジンの前記外側流路境界面の一部を形成する内表面（６４）を有し、エンジンに支持されエンジンの中心線の廻りで回転する複数のブレード（３６）を取囲むようになっている、前記外壁（５２）と一体のシュラウド（６０）と、
前記シュラウド（６０）の外側に支持され、外側冷却空気空洞（７４）と内側冷却空気空洞（７６）とを分離するハンガ（６８）と
を含み、
前記ノズル羽根（５４）はそれぞれ、前方内部通路（９４）、中間内部通路（９６）及び後方内部通路（９８）とを備え、
前記前方及び中間内部通路（９４、９６）は前記外側冷却空気空洞（７４）から冷却空気を受け、
前記後方内部通路（９８）は前記内側冷却空気空洞（７６）から冷却空気を受け、
前方内部通路（９４）、中間内部通路（９６）及び後方内部通路（９８）は、前記ノズル羽根（５４）のノズルスロートの上流側に位置する孔（１０６）を通して冷却空気を排出する
ことを特徴とするガスタービンエンジン構成部品（５０）。
【請求項２】
前記複数のノズル羽根（５４）がタービンノズル羽根（５４）であることを特徴とする、請求項１に記載の構成部品（５０）。
【請求項３】
前記構成部品（５０）をエンジンに取付ける時に、前記シュラウド（６０）が前記ノズル羽根（５４）の後方に配置されることを特徴とする、請求項１に記載の構成部品（５０）。
【請求項４】
前記複数のノズル羽根（５４）の各々は、冷却式の羽根(５４)であり、該冷却式の羽根(５４)は、入口（１００、１０２、１０４）から該羽根（５４）の外部表面（１０８）にある孔（１０６）まで延び、前記入口（１００、１０２、１０４）から前記孔（１０６）まで冷却空気を運ぶ内部通路（９４、９６、９８）を有することを特徴とする、請求項１に記載の構成部品（５０）。
【請求項５】
冷却空気が、前記シュラウド(６０)を冷却するために該シュラウド（６０）上を流れることを特徴とする、請求項４に記載の構成部品（５０）。
【請求項６】
前記シュラウド（６０）上を流れる前記冷却空気が、前記羽根の内部通路（９８）を通るように導かれることを特徴とする、請求項５に記載の構成部品（５０）。
【請求項７】
前記内壁（５８）がセグメント化されていることを特徴とする、請求項１に記載の構成部品（５０）。
【請求項８】
前記外壁（５２）及びシュラウド（６０）がセグメント化されていることを特徴とする、請求項１に記載の構成部品（５０）。
【発明の詳細な説明】
【０００１】
【発明の属する技術分野】
本発明は、一般的にガスタービンエンジンの構成部品に関し、より具体的には、一体型の外壁及びシュラウドセグメントを有するノズルセグメントに関する。
【０００２】
【発明の概要】
ガスタービンエンジンは、ステータとステータに回転可能に支持された１つ又はそれ以上のロータを有する。エンジンは一般的に、エンジンを通って移動する流路空気を加圧する高圧圧縮機と、圧縮機の下流側にあり加圧された空気を加熱する燃焼器と、燃焼器の下流側にあり高圧圧縮機を駆動する高圧タービンとを含む。さらに、エンジンは、高圧タービンの下流側にあり高圧圧縮機の上流側に位置するファンを駆動する低圧タービンを含む。
【０００３】
燃焼器の下流側においては、流路空気温度が高温であり、その結果、流路を形成する構成部品が高温となる。構成部品がこれらの高い流路空気温度に達すると、構成部品の材料特性が低下する。材料特性のこの低下を防止するために、流路空気が圧縮機のようなエンジンのより低温の区域から抽出され、より高温の構成部品を通してあるいはその周りに吹き付けられ、構成部品の温度を低下させる。冷却空気をより高温の構成部品に供給することは構成部品の寿命を増加させるが、エンジンのより低温の区域から流路空気を抽出することによりエンジンの効率は減少する。従って、全体的なエンジン効率を増加させるためには、より高温の構成部品が必要とする冷却空気の量を最小限にするのが望ましい。具体的には、ノズルスロートの下流側に導入される冷却空気を最小限にすることが重要である。冷却空気をノズルスロートの下流側に導入することは、ノズルスロートの上流側に空気を導入する場合よりもエンジン性能に対して著しく有害である。
【０００４】
図１は、その全体を符号１０で示した、従来の高圧タービンノズル組立体を示す。ノズル組立体１０は、ノズル支持体１４に支持された、全体を符号１２で示すノズルセグメントを含む。シュラウドセグメント１６は、ノズルセグメント１２の下流側でシュラウドハンガ１８に支持される。シュラウドハング１８はハンガを取囲むサポート２０に支持される。ノズルセグメント１２は、エンジンの中心線２４の周りに円周方向に延び、外側流路境界面の一部を形成する内表面２６を有する外壁セグメント２２を含む。複数のノズル羽根２８が外壁セグメント２２から内向きに延び、内壁セグメント３０はノズル羽根の内端部の周りに円周方向に延びている。内壁セグメント３０はエンジンの内側流路境界面の一部を形成する外表面３２を有する。回転ディスク３４及びブレード３６は、ノズルセグメント１２の下流側でシュラウドセグメント１６の内部に支持される。
【０００５】
冷却空気が、ノズル外壁セグメント２２及びシュラウドハンガ１８から外側寄りにそれぞれ位置する２つの空洞３８、４０の中へ導入される。外壁セグメント２２から外側寄りの空洞３８へ供給される冷却空気の一部は、ノズル羽根２８の通路４２に入り、羽根の表面に形成された冷却孔４４を通して流出して、フィルム冷却により羽根を冷却する。空洞３８へ供給される冷却空気のいくらかは、外壁セグメント２２の円周方向端部の間から流路内へ洩れ、また冷却空気のいくらかは、ノズル外壁セグメントとシュラウドハンガ１８の間に位置するシール４６を通り抜けて流路内へ洩れる。シュラウドハンガ１８から外側寄りに位置する空洞４０へ供給される冷却空気は、シュラウドセグメント１６へ衝突し、それらを衝突冷却により冷却し、次いでシュラウドセグメントの円周方向端部間から流路内へ洩れる。
【０００６】
【発明の概要】
本発明のいくつもの特徴の中で、ガスタービンエンジン構成部品を設けることに注目されたい。構成部品は、エンジンの中心線の周りに円周方向に延び、エンジンの外側流路境界面の一部を形成する内表面を有するノズル外壁を含む。さらに、構成部品は、外壁から内向きに延びる複数のノズル羽根を含む。羽根の各々は、外壁に支持された外端部から外端部と対向する内端部までほぼ内向きに延びる。さらに、構成部品は、複数のノズル羽根の内端部の周りに円周方向に延び、エンジンの内側流路境界面の一部を形成する外表面を有する内壁を含む。さらに、構成部品は、エンジンの中心線の周りに円周方向に延び、エンジンの外側流路境界面の一部を形成する内表面を有し、エンジンに支持されエンジンの中心線の廻りで回転する複数のブレードを取囲むようになっている、外壁と一体のシュラウドを含む。
【０００７】
別の態様において、本発明は、ガスタービンエンジンに使用するための高圧タービンノズルセグメントを含む。ノズルセグメントは、ノズルセグメントの中心線の周りに円周方向に、かつ、シュラウドセグメントまで後方に延びる外壁セグメントを含み、該シュラウドセグメントは、外壁セグメントと一体に形成され、中心線の周りに円周方向に延びる。外壁セグメント及びシュラウドセグメントは、エンジンの外側流路境界面の一部を形成する、実質的に連続した切れ目のない内表面を有する。ノズルセグメントはまた、外壁セグメントから内向きに延びるノズル羽根を含む。羽根の各々は、外壁セグメントに支持された外端部から外端部に対向する内端部までほぼ半径方向内向きに延びる。さらに、ノズルセグメントは、ノズル羽根の内端部の周りに円周方向に延び、エンジンの内側流路境界面の一部を形成する外表面を有する内壁セグメントを含む。
【０００８】
本発明のその他の特徴は、一部は明らかであり、一部は以下に指摘する。
【０００９】
【発明の実施の形態】
図面、特に図２及び図３を参照すると、本発明の高圧タービンノズルセグメントがその全体を符号５０で示されている。好ましい実施形態は、高圧タービンノズルセグメント５０について述べているが、当業者には、本発明がガスタービンエンジンのその他の構成部品に適用できることが分るであろう。例えば、本発明は、本発明の技術的範囲から離れることなく、ガスタービンエンジンの低圧タービンに適用できる。さらに、好ましい実施形態はセグメントについて述べているが、当業者には、本発明がガスタービンエンジンの中心線２４（図１）の周りに一体の形で延びている、セグメント化されていない構成部品に対しても適用できることが分るであろう。
【００１０】
ノズルセグメント５０は一般的に、ノズル外壁セグメント５２と、複数のノズル羽根５４と、内壁セグメント５８と、外壁セグメントと一体に形成されたシュラウドセグメント６０とを含む。外壁セグメント５２及びシュラウドセグメント６０は、エンジンの中心線２４の周りに円周方向に延び、エンジンの外側流路境界面の一部を形成する、実質的に連続した切れ目のない内表面６４を有する。図２に示すように、ノズルセグメント５０は、通常のコネクタでシュラウドセグメント６０を取囲むシュラウドハンガ６８に支持される。本発明の技術的範囲から離れることなく他のコネクタ６６を使用できるが、１つの実施形態においては、コネクタは通常のフックコネクタを含む。通常のＣ形クリップ７０が、後部コネクタ６６をハンガ６８に取付けるために使用される。
【００１１】
図２にさらに示すように、シュラウドハンガ６８は通常のシュラウドサポート７２の内側に支持され、外側冷却空気空洞７４を内側冷却空洞７６から分離する。ハンガ６８を貫通して延びる衝突冷却孔７８が、外側空洞７４からシュラウドセグメント６０の外部表面８０へ向けて内側空洞７６内へ冷却空気を導き、従来の方式でシュラウドセグメントを冷却する。図３に示すように、外壁セグメント５２及びシュラウドセグメント６０の円周方向端部８２は、セグメント間の冷却空気の洩れを減少させるために通常のスプラインシール（図示せず）を受け入れる寸法及び形状にされた１つ又はそれ以上の溝８４を備える。さらに、シュラウドセグメント６０は、その外部表面８０から内側表面６４へシュラウドセグメントを貫通して延びる開口部を実質的に備えていない。
【００１２】
羽根５４は外壁５２から内向きに延びる。これらの羽根５４の各々は、外壁５２に支持された外端部９０から外端部に対向する内端部９２までほぼ内向きに延びる。各々の羽根５４は、エンジンの流路を通って流れる空気を方向付けるエーロフォイル形状の断面を持つ。羽根５４は、内部通路９４、９６、９８を含む。通路９４、９６、９８は、入口１００、１０２、１０４（図３）から羽根５４の外部表面１０８にある孔１０６(図３)まで延び、入口から孔まで冷却空気を運ぶ。当業者には分るであろうが、前方及び中間の通路９４、９６はそれぞれ、外側空洞７４から冷却空気を受け、後方通路９８は冷却空気がシュラウドセグメント６０の外部表面８０へ衝突した後に、内側空洞７６から冷却空気を受ける。上述の実施形態のシュラウドセグメント６０は、構成部品をエンジンに取付ける時に、ノズル羽根５４の下流側に配置され、従ってシュラウドセグメント６０は羽根の下流側に支持されたブレード３６の列（図１）を取囲んでいるが、本発明の技術的範囲から離れることなく、一体型のシュラウドセグメントを羽根の上流側に配置し、それによってシュラウドセグメントが羽根の上流側のブレード列を取囲むこともできることが想定される。
【００１３】
内壁セグメント５８は、羽根５４の内端部９２の周りに円周方向に延び、エンジンの内側流路境界面の一部を形成する外表面１１０を有する。外壁セグメント５２及びシュラウドセグメント６０と同様に、内壁セグメント５８の円周方向端部１１２は、内壁セグメント間の洩れを防止する通常のスプラインシール（図示せず）を受け入れる寸法及び形状にされた溝１１４を備える。フランジ１１６は、内壁セグメント５８から内向きに延び、締結具１２０によりノズルセグメント５０を通常のノズル支持体１１８に連結する。
【００１４】
本発明のガスタービンエンジン構成部品は、本発明の技術的範囲から離れることなくその他の方法で製作することができるが、１つの実施形態においては、外壁セグメント５２と、羽根５４と、内壁セグメント５８と、シュラウドセグメント６０とは単体部品として鋳造される。鋳造後、構成部品の各種の部分は通常の機械加工技術を使用して最終構成部品寸法に機械加工される。
【００１５】
当業者には分るであろうが、本発明の高圧タービンノズルセグメント５０は、冷却空気の洩れ通路が従来のノズル組立体より少ない。外壁セグメントとシュラウドセグメントの間に間隙があり、その間から大きな冷却空気の洩れを生じる可能性があることに比べ、本発明のノズルセグメント５０は一体型の外壁セグメント５２及びシュラウドセグメント６０を有する。さらに、シュラウドセグメントの外部表面に衝突する冷却空気の全てを流路へ直接洩れさせるのではなくて、本発明のノズルセグメント５０は、シュラウドセグメント６０の外部表面８０へ衝突した冷却空気の多くを、羽根５４を貫いて延びる冷却空気通路９８を通して導き、羽根の外部表面１０８上のフィルム冷却孔１０６を通して流出させる。シュラウド６０を冷却するのに使用される空気はまた、ノズル羽根５４を冷却し、ノズルスロートの上流側に位置する孔１０６を通して排出される。孔１０６はノズルスロートの上流側に位置するため、本発明のノズルセグメント５０は、冷却空気をノズルスロートの下流側へ排出する従来のノズル組立体１０に比べてより良い性能を持つ。従って、当業者には分るであろうが、本発明の高圧タービンノズルセグメント５０は、従来のノズル組立体１０に比べてより少ない冷却空気を必要とし、冷却空気をそれを必要とするエンジンのその他の区域へ導くことを可能にし及び／又は全体的なエンジン効率の増大を可能にする。
【００１６】
上記の構成において、多種の変更を本発明の技術的範囲から離れることなくなし得るので、上記の記述に含まれ又は添付の図面に示される全ての事柄は、例示的なものとして、また限定的な意味を持たないものとして解釈されることを意図している。なお、特許請求の範囲に記載された符号は、理解容易のためであってなんら発明の技術的範囲を実施例に限縮するものではない。
【図面の簡単な説明】
【図１】  従来のガスタービンエンジンの高圧タービンの断面図。
【図２】  本発明のノズルセグメント及びシュラウドハンガの断面図。
【図３】  本発明のノズルセグメントの斜視図。
【符号の説明】
５０    ノズルセグメント
５２    外壁セグメント
５４    ノズル羽根
５８    内壁セグメント
６０    シュラウドセグメント
６４    内表面
６６    コネクタ
６８    シュラウドハンガ
７２    シュラウドサポート
７４、７６    空洞
７８    衝突冷却孔
８０    シュラウドセグメントの外部表面
９４、９６、９８    羽根の内部通路
１０６  フィルム冷却孔
１０８  羽根の外部表面
１１０  外表面
１１６  フランジ
１１８  ノズル支持体
【図１】
0004130321.tif 000002
【図２】
0004130321.tif 000003
【図３】
0004130321.tif 000004